(57)【要約】      （修正有）【課題】収納時や運搬時に団扇を劣化や破損から防ぐとともに、団扇のディスプレイ用ケースとしても使用することができる団扇ケースを提供する。【解決手段】平面的な扇部６２と、この扇部６２を支持する柄部６１とを有する団扇６を収納するケースであって、団扇６の扇部６２を覆い、内部中空部分に扇部６２を収納するカバー本体２と、カバー本体２の少なくとも一方の面の一部又は全部に形成され、内部中空部分内が視認可能に透明部材が張られた透明部２１とを有する。カバー本体２の上部には、カバー本体２を吊下するための吊下部５が設けられている。【選択図】図３
0003209023.tif 000002
【実用新案登録請求の範囲】
【請求項１】
平面的な扇部と、この扇部を支持する柄部とを有する団扇を収納するケースであって、
団扇の前記扇部を覆い、前記扇部の平面形状に合致した形状をなし、内部中空部分に前記扇部を収納するカバー本体を有することを特徴とする団扇ケース。
【請求項２】
平面的な扇部と、この扇部を支持する柄部とを有する団扇を収納するケースであって、
団扇の前記扇部を覆い、内部中空部分に前記扇部を収納するカバー本体と、
前記カバー本体の少なくとも一方の面の一部又は全部に形成され、前記内部中空部分内が視認可能に透明部材が張られた透明部と
を有することを特徴とする団扇ケース。
【請求項３】
前記カバー本体の上部に設けられ、前記カバー本体を吊下するための吊下部をさらに有することを特徴とする請求項１又は２に記載の団扇ケース。
【請求項４】
前記団扇が前記カバー本体内に収納された状態において、前記団扇の柄部に対応した位置に、前記カバー本体の内側から外側に向けて前記柄部が挿通され、前記カバー本体の外部に前記柄部を露出させる挿通部をさらに有することを特徴とする請求項１乃至３のいずれかに記載の団扇ケース。
【請求項５】
前記カバー本体の側面に閉止手段により開閉可能に形成され、前記カバー本体の内外を連通させる出入部をさらに有することを特徴とする請求項１乃至４のいずれかに記載の団扇ケース。
【請求項６】
前記団扇が前記カバー本体内に収納された状態において、前記団扇の柄部に対応した位置に、前記カバー本体の内側から外側に向けて前記柄部が挿通され、前記カバー本体の外部に前記柄部を露出させる挿通部と、
前記カバー本体の側面に閉止手段により開閉可能に形成され、前記カバー本体の内外を連通させる出入部とをさらに有し、
前記出入部の開放状態において前記出入部は前記挿通部の開口と連通され、前記挿通部に前記柄部が挿通された状態において前記出入部を閉止することにより、前記挿通部に挿通された前記柄部を係止する
ことを特徴とする請求項１乃至３のいずれかに記載の団扇ケース。
【考案の詳細な説明】
【技術分野】
【０００１】
本考案は、団扇を収納するケースに関する。
【背景技術】
【０００２】
芸能人のコンサートやイベント、スポーツチームの試合等においては、芸能人やスポーツ選手の写真やチームのロゴマーク等が印刷された団扇が観覧や応援のためのグッズとしてファンに向けて販売されている。このような団扇はファンにとっては記念品として貴重なものであり、芸能人やスポーツ選手本人にサインを書いてもらった場合などは特に価値があり、長期的に保管する必要性がある。しかし、このような団扇は、素材自体は公告用に配布される通常の団扇と同じくプラスチック等による安価な素材であるため、すぐに劣化や破損しやすく、持ち運びや保管には向かないという問題があった。このような問題を解決するため、特許文献１のように、団扇を破損から防ぎ、持ち運びに便利な団扇用ケースが提案されている。
【先行技術文献】
【特許文献】
【０００３】
【特許文献１】特開２０１０−２５９７５３号公報
【考案の概要】
【考案が解決しようとする課題】
【０００４】
しかしながら、特許文献１は、団扇を収納して持ち運ぶ目的のみに使用されるものであって、収容された団扇を外部から視認することはできないため、ファンにとっては貴重な団扇を記念品として飾っておくには適していない。
【０００５】
そこで、本考案は、上記のような問題を解決するものであり、団扇を視認することができ、団扇のディスプレイ用ケースとして使用することができる団扇ケースを提供することを目的とする。
【課題を解決するための手段】
【０００６】
上記課題を解決するために、本考案の団扇ケースは、平面的な扇部と、この扇部を支持する柄部とを有する団扇を収納するケースであって、団扇の前記扇部を覆い、前記扇部の平面形状に合致した形状をなし、内部中空部分に前記扇部を収納するカバー本体を有することを特徴とすることを特徴とする。
【０００７】
本考案によれば、カバー本体で団扇の扇部を、覆うようにして収納するため、扇部を保護することができる。また、カバー本体は扇部の平面形状に合致した形状をなしているため、例えば、本体カバー全面を不透明な素材で形成したときであっても、本体カバー内に収納されているものが団扇であることを識別させることができる。
【０００８】
また、本考案の団扇ケースは、平面的な扇部と、この扇部を支持する柄部とを有する団扇を収納するケースであって、団扇の前記扇部を覆い、内部中空部分に前記扇部を収納するカバー本体と、前記カバー本体の少なくとも一方の面の一部又は全部に形成され、前記内部中空部分内が視認可能に透明部材が張られた透明部とを有することを特徴とする。
【０００９】
本考案によれば、カバー本体で団扇の扇部を、覆うようにして収納するため、扇部を保護することができる。また、カバー本体の一方の面に透明な透明部が設けられているため、扇部に施されたデコレーションを視認することができ、団扇ケースを団扇のディスプレイ用ケースとすることができる。なお、カバー本体の他方の面を不透明の素材で形成することによって、団扇の見られたくない面を伏せて収納することができ、団扇を携帯する際の利便性を高めることができる。
【００１０】
上記考案では、前記カバー本体の上部に設けられ、前記カバー本体を吊下するための吊下部をさらに有することが好ましい。この場合には、団扇ケースをディスプレイ用ケースとして壁などに吊下して飾ることができ、ディスプレイとしての機能性を高めることができる。
【００１１】
上記考案では、前記団扇が前記カバー本体内に収納された状態において、前記団扇の柄部に対応した位置に、前記カバー本体の内側から外側に向けて前記柄部が挿通され、前記カバー本体の外部に前記柄部を露出させる挿通部をさらに有することが好ましい。この場合には、団扇の柄部を挿通部に通すことにより、団扇をカバー本体内に安定して収納させることができる。また、団扇の柄部をカバー本体の外部に露出させることによって、本体カバー内に収納されているものが団扇であることを識別させることができる。
【００１２】
上記考案では、前記カバー本体の側面に閉止手段により開閉可能に形成され、前記カバー本体の内外を連通させる出入部をさらに有することが好ましい。この場合には、出入部を通じて団扇を出し入れすることができ、チャックやジッパー、両面ファスナー等の閉止手段によって閉止することにより、安定して携帯でき、収納された団扇を保護することができる。なお、出入部が形成される範囲は、カバー本体周縁において団扇を出し入れできる大きさが確保されれば、カバー本体の上部や側部に亘って形成することができる。
【００１３】
上記考案では、前記団扇が前記カバー本体内に収納された状態において、前記団扇の柄部に対応した位置に、前記カバー本体の内側から外側に向けて前記柄部が挿通され、前記カバー本体の外部に前記柄部を露出させる挿通部と、前記カバー本体の側面に閉止手段により開閉可能に形成され、前記カバー本体の内外を連通させる出入部とをさらに有し、前記出入部の開放状態において前記出入部は前記挿通部の開口と連通され、前記挿通部に前記柄部が挿通された状態において前記出入部を閉止することにより、前記挿通部に挿通された前記柄部を係止することが好ましい。
【００１４】
この場合には、出入部を通じて団扇を出し入れすることができ、チャックやジッパー、両面ファスナー等の閉止手段によって閉止することにより、安定して携帯でき、収納された団扇を保護することができる。特に、開放時において出入部が挿通部に連通されるため、挿通部に柄部を刺し通す作業を要せずに、閉止手段で閉止することによって、柄部を挿通部に刺し通した形とすることができ、簡単な操作で挿通部に挿通された柄部を係止することができる。また、団扇の柄部をカバー本体の外部に露出させることによって、本体カバー内に収納されているものが団扇であることを識別させることができる。
【考案の効果】
【００１５】
以上述べたように、この考案によれば、平面的な扇部と、この扇部を支持する柄部とを有する団扇を収納するケースにおいて、収納時や運搬時に団扇を劣化や破損から防ぐとともに、カバー本体の一面に透明部分を形成し吊下部材で吊り下げ可能とすることによって、収納ケースを団扇のディスプレイ用ケースとしても使用することができる。また、本体カバー内に収納されているものが団扇であることを識別させることができ、団扇を所持していることを他者にアピールすることができる。
【図面の簡単な説明】
【００１６】
【図１】本考案に係る団扇ケースの構成を示す斜視図である。
【図２】本考案に係る団扇ケースの構成を示す斜視図である。
【図３】本考案に係る団扇ケースに団扇を収容した状態を示す正面図である。
【図４】本考案に係る団扇ケースの背面部にカード支持部を設けた構成を示す正面図である。
【図５】本考案に係る団扇ケースの吊下部の構成を示す断面図である。
【図６】本考案に係る団扇ケースの使用状態を示す説明図である。
【図７】本考案に係る団扇ケースの変更例に係る構成を示す斜視図である。
【図８】本考案に係る団扇ケースの変更例に係る使用状態を示す斜視図である。
【図９】本考案に係る団扇ケースの変更例に係る使用状態を示す正面図である。
【考案を実施するための形態】
【００１７】
以下に添付図面を参照して、本考案に係る団扇ケースの実施形態を詳細に説明する。図１及び図２は、本考案に係る団扇ケースの構成を示す斜視図であり、図３は、本考案に係る団扇ケースに団扇を収容した状態を示す正面図である。また、図４は、本考案に係る団扇ケースの背面部にカード支持部を設けた構成を示す正面図であり、図５は、本考案に係る団扇ケースの吊下部の構成を示す断面図、図６は、本考案に係る団扇ケースの使用状態を示す説明図である。
【００１８】
（団扇ケースの構成）
図１乃至図７に示すように、団扇ケース１は、平面的な扇部６２と、それを支持する柄部６１によって構成される団扇６を収納するためのケースであって、内部中空部分に扇部６２を覆うようにして収納するカバー本体２で構成されている。
【００１９】
カバー本体２は、本実施形態では、扇部６２の平面形状に合致した、扇形の平面形状をなし、扇部６２を覆うようにして、内部中空部分に扇部６２を収納するカバーである。ここではカバー本体２の形状を扇部６２の形状に合致した扇形の平面形状としたが、本考案はこれに限定されるものではなく、扇部６２が収納可能な大きさ及び形状であれば、例えば、円形若しくは楕円形、略四角形など様々な形状とすることができる。なお、カバー本体２を、扇部６２の平面形状に合致した形状とした場合には、例えば、カバー本体２の表裏全面を不透明な素材で形成したときであっても、カバー本体２内に収納されているものが団扇であることを識別させることができ、団扇を所持していることを他者にアピールすることができる。
【００２０】
図１乃至７に例示したカバー本体２は、一例であり、前面における平面上に透明部２１、背面上部に吊下部５、下部に挿通部３、周縁の側面に出入部４が形成されている。このカバー本体２の素材としては化学繊維や合成樹脂、厚紙等、種々のものが考えられる。
【００２１】
透明部２１は、カバー本体２の表裏平面の少なくとも一方の面に設けられるプラスチック板やアクリルパネル等の透明部材であり、これによって内部中空部分内が視認できるようになる。この透明部２１は、カバー本体２前面の一部のみが透明部材で形成されて、収納した扇部６２の一部分のみが視認できるようになっていてもよいし、カバー本体２の全面に設けられてもよく、さらにはカバー本体２の両面に設けられていてもよい。また、透明部材としては、半透明の素材でもよい。さらに、表裏平面の両方を不透明な素材で形成して、透明部２１を設けないようにしてもよい。
【００２２】
なお、透明部２１が片面のみに形成されている場合、もう一方の面は不透明な素材で形成される非透明部２２とすることができる。この非透明部２２には、図４に示すような、透明部材で形成されたカード貼付部２３を設けることができ、カード７をカバー本体２上に貼付しておくことができる。なお、上述したように表裏平面の両方を不透明な素材で形成した場合には、このカード貼付部２３を表裏に設けてもよい。また、非透明部２２には、例えば、刺繍やシール、ペインティングなど、種々の飾り付けをすることができる。
【００２３】
吊下部５は、カバー本体２を壁等に吊り下げるためのものであって、図５に示すように、カバー本体２上部の非透明部２２に、接合部５ｂによって折り曲げ自在に接合されており、吊下しないときは、同図（ａ）に示すように、内側に向けて折り曲げられてカバー本体２から露出していないが、吊下するときには、同図（ｂ）に示すように、外側に曲げて露出させた上で、吊下穴５ａによって壁等に設置されたフックや画鋲等に吊り下げることができる。この吊下穴５ａは、人の指が入る程度の内径を有することが好ましく、これにより携帯性を高めることができる。
【００２４】
挿通部３は、カバー本体２の下部に形成された挿通口であり、団扇６をカバー本体２内に収納した状態において、柄部６１をカバー本体２の内側から外側に向けて挿通させ、カバー本体２の外部に柄部６１を露出させることができる。このように団扇６の柄部６１をカバー本体２の外部に露出させることによって、カバー本体２内に収納されているものが団扇であることを外部から識別させることができる。ここでは、挿通部３と出入部４とは上下の線対称位置に配置されているが、後述する変更例のように、機能上又はデザイン上の要請応じて非対称位置とすることもできる。
【００２５】
出入部４は、チャックやジッパー、両面ファスナー等の閉止手段４１により開閉可能に形成されており、カバー本体２の内外を連通させており、団扇６をここから出し入れすることができる。なお、出入部４が形成される範囲は、カバー本体２の周縁において団扇６を出し入れできる大きさが確保されれば、カバー本体２の上部や側部に亘って形成することができる。そして、団扇６を収納する際は、図６に示すように、開放状態の出入部４に団扇６を柄部６１側から挿入し、次に内部から柄部６１を挿通部３に挿通して外側に出す。そして、閉止手段４１によって出入部４を閉止することによって、挿通部３に挿通された柄部６１を係止する。
【００２６】
（変更例）
なお、上述した実施形態の説明は、本発明の一例である。このため、本発明は上述した実施形態に限定されることなく、本発明に係る技術的思想を逸脱しない範囲であれば、設計等に応じて種々の変更が可能である。図７は、本考案の変更例に係る団扇ケースの使用状態を示す斜視図、図８及び図９は、本考案に係る団扇ケースの使用状態を示す斜視図及び正面図である。
【００２７】
図７〜図９に示すように、本変更例では、出入部４が、挿通部３に至る箇所まで延長されて形成されていることを特徴とする。具体的には、前述した出入部４の開放状態において出入部４は挿通部３の開口と連通され、この挿通した部分に柄部６１が挿通された状態において出入部４を閉止することにより、挿通部３に挿通された柄部６１が係止されるようになっている。これにより、出入部４を通じて団扇６を出し入れすることができ、チャックやジッパー、両面ファスナー等の閉止手段４１によって閉止することにより、安定して携帯でき、収納された団扇を保護することができる。このとき、開放時において出入部４が挿通部３に連通され、閉止手段４１で閉止することによって、柄部６１が挿通部３に刺し通された形となり、挿通部３に挿通された柄部６１がカバー本体２に係止される。
【００２８】
（作用効果）
このような本実施形態及び変更例によれば、カバー本体２で団扇６の扇部６２を覆うようにして収納するため、収納時や運搬時に、扇部６２を保護し、劣化や破損を防ぐことができる。このとき、本実施形態では、カバー本体２の下部に挿通部３が設けられているため、団扇６の柄部６１を挿通部３に通すことにより、団扇６をカバー本体２内に安定して収納させることができる。
【００２９】
なお、本実施形態では、カバー本体２を、扇部６２の平面形状に合致した形状とするとともに、柄部６１をカバー本体２の内側から外側に向けて挿通させてカバー本体２の外部に柄部６１を露出させているため、例えば、カバー本体２の表裏全面を不透明な素材で形成したときであっても、カバー本体２内に収納されているものが団扇であることを外部から識別させることができ、団扇を所持していることを他者にアピールすることができる。
【００３０】
また、カバー本体２の側面に閉止手段４１によって開閉可能な出入部４が設けられていることから、出入部４を通じて団扇６を出し入れすることができ、チャックやジッパー、両面ファスナー等の閉止手段４１によって閉止することにより、安定して携帯でき、収納された団扇６を保護することができる。
【００３１】
さらに、本実施形態では、カバー本体２の一方の面に透明な透明部２１が設けられているため、扇部６２に施されたデコレーション、芸能人やスポーツ選手の写真等を外部から視認することができ、団扇ケース１を団扇６のディスプレイ用ケースとして使用することができる。なお、カバー本体２の非透明部２２は不透明の素材で形成することによって、団扇６を見られたくないときは伏せておくことができるので、持ち運び時に他人からの視線を気にすることがなく、携帯の利便性を高めることができる。また、本実施形態では、カバー本体２の上部に吊下部５が設けられているため、団扇ケース１をディスプレイ用ケースとして壁等に吊下して飾ることができ、ディスプレイとしての機能性を高めることができる。なお、本実施形態では、非透明部２２にカード貼付部２３を設けてカード７を貼付できるため、カードにメッセージを記入して伝言板としても利用することができる。
【００３２】
また、上述した変更例では、図７〜図９に示すように、出入部４の開放状態において出入部４を挿通部３の開口と連通させ、挿通部３に柄部６１が挿通された状態において出入部４を閉止することにより、挿通部３に挿通された柄部６１を係止する。このように構成することによって、上記変更例では、出入部４を通じて団扇６を出し入れすることができ、チャックやジッパー、両面ファスナー等の閉止手段４１によって閉止することにより、安定して携帯でき、収納された団扇６を保護することができる。特に、開放時において出入部４が挿通部３に連通されるため、挿通部３に柄部６１を刺し通す作業を要せずに、閉止手段４１で閉止することによって、柄部６１部を挿通部３に刺し通した形とすることができ、簡単な操作で挿通部３に挿通された柄部６１を係止することができる。
【符号の説明】
【００３３】
１…団扇ケース
２…カバー本体
３…挿通部
４…出入部
５…吊下部
５ａ…吊下穴
５ｂ…接合部
６…団扇
７…カード
２１…透明部
２２…非透明部
２３…カード貼付部
４１…閉止手段
６１…柄部
６２…扇部
【図１】
0003209023.tif 000003
【図２】
0003209023.tif 000004
【図３】
0003209023.tif 000005
【図４】
0003209023.tif 000006
【図５】
0003209023.tif 000007
【図６】
0003209023.tif 000008
【図７】
0003209023.tif 000009
【図８】
0003209023.tif 000010
【図９】
0003209023.tif 000011